(57)【要約】【課題】従来の正座椅子の問題を解消し、腰にやさしい正座姿勢を長時間、苦痛なく維持することのできる正座椅子を提供すること。【解決手段】基本的に座面と脚部とからなる正座椅子であって、座面の前半部が前下がり、後半部が平坦であり、使用者の臀部を座面の後半部で、大腿部を座面の前半部で支えるようにしてなる正座椅子。【選択図】　図１
2004065625.tif 000002
【特許請求の範囲】
【請求項１】
基本的に座面と脚部とからなる正座椅子であって、座面の前半部が前下がり、後半部が平坦であり、使用者の臀部を座面の後半部で、大腿部を座面の前半部で支えるようにしてなる正座椅子。
【請求項２】
座面の前後方向の長さが６０ｍｍ〜１２０ｍｍであり、かつ、前半部先端と後半部の高さの差が５ｍｍ〜３０ｍｍ程度である請求項第１項記載の正座椅子。
【請求項３】
座面が、左右もしくは中央部より突出した脚部に支持されるものである請求項第１項または第２項記載の正座椅子。
【請求項４】
脚部が折りたたみもしくは伸縮可能に構成されたものである請求項第１項記載の正座椅子。
【請求項５】
座面が折りたたみもしくは伸縮可能に構成されたものである請求項第１項の正座椅子。
【発明の詳細な説明】
【０００１】
【発明の属する技術分野】
本発明は、正座椅子に関し、更に詳細には、前後幅が狭く、かつ若干前下がりの座面を有し、座った際に、使用者の大腿部と臀部の境目付近を支えることにより、楽に正座姿勢をとることができる正座椅子に関する。
【０００２】
【従来の技術】
正座姿勢は、腰にとって最も理想的な姿勢だと言われ、更に立ち座りも容易であるが、最近ではこの姿勢を長時間維持できる人はほとんどいない。これは、膝下部に対する強い圧迫と、固定化（長時間自由に動かすことのできない状態）により血行不良を生じ、膝下部が痺れて来るからである。
【０００３】
このため、法事など改まった席などで、正座を強いられる場合などでは、正座椅子を利用することがあるが、従来提供されている正座椅子は、以下に述べる２点で問題があり、使い勝手が良いというものではない。
【０００４】
すなわち、従来の正座椅子のほとんどは、臀部の下に平らな座面を位置することで体重を支え、膝下部への圧迫を防ぎ足の痺れを軽減するものであり、座面の上に臀部、下部の狭い空間に踵が位置する構造となっている。しかし、座面の下の狭い空間に踵が位置することは、膝下部、特に足首の自由度を損ない、血行不良となって長時間の使用は耐え難いものがあった。
【０００５】
さらに、平面の座面で臀部を支えるため、座り方によっては、例えば座面端に接する部分が強く圧迫され痛くなってくる等の問題が生じ、これを避けようと圧迫部分の当たりを変えるためには一度座面からお尻を上げ、正座椅子本体を移動させる等、使用しづらい面があった。
【０００６】
これらの理由から、正座椅子を使用しても長時間の正座は耐え難いとされていた。
【０００７】
【発明が解決しようとする課題】
本発明は、従来の正座椅子の問題を解消し、腰にやさしい正座姿勢を長時間、苦痛なく維持することのできる正座椅子の提供をその課題とするものである。
【０００８】
【課題を解決するための手段】
本発明者らは、上記課題を解決すべく、正座椅子の座面形状や、体重支持部位等について検討を行った。そしてその結果、従来の正座椅子での膝下部の自由度不足の改善を、前後幅の狭い、かつ、若干前下がりの座面で大腿部と臀部の境目付近を支えることで行えることを見出し、本発明を完成した。
【０００９】
すなわち本発明は、基本的に座面と脚部とからなる正座椅子であって、座面の前半部が前下がり、後半部が平坦であり、使用者の臀部を座面の後半部で、大腿部を座面の前半部で支えるようにしてなる正座椅子である。
【００１０】
【発明の実施の形態】
以下、本発明正座椅子のいくつかの態様を示す図面と共に、本発明を更に詳しく説明する。
【００１１】
図１は、本発明の正座椅子の一態様を示す斜視図であり、図２は、これを使用した場合の座姿勢を示す図面である。図中、１は正座椅子、２は脚部、３は座面、４は底面部である。
【００１２】
本発明正座椅子の特徴は、座面３の前半部３’が前下がりになり、後半部が平坦となっている点である。この座面前半部３’の前下がり形状については、特に制約はなく、曲面で連続的に前下がりになったものでも、あるいは２つの平面により、一定の線から前を前下がりにしたものであっても良い。
【００１３】
このように、座面の形状を、座面前半部３’が若干下がっている構造とする理由は、図２に示すように、正座姿勢の時の人体曲線にあわせたためである。すなわち、従来の正座用椅子は臀部により体重を支えていたが、本発明の正座椅子では大腿部と臀部の境目付近で体重を支えるため、座面前部３’を若干下がっている座面形状としたのである。
【００１４】
また、大腿部と臀部の境目付近を支える理由は、上半身を前後動しやすいためである。このため、座面のあたる位置を使用者の意志により、自由に変えることができ、長時間の正座にも耐えうるのである。また、大腿部裏の圧迫感は従来の平面座面のそれに比べるとかなり緩和され、更に、前半部を前下がりとするため、座面の位置を従来の正座椅子に比べ上げることができ、この結果足首等を自由に動かすことができるのである。
【００１５】
本発明の正座椅子は、座面３と脚部２よりなるものであるが、これらを使用しやすくするための機構を付加していても良い。
【００１６】
本発明の正座椅子における座面３は、幅の狭いものであることが好ましく、座面幅の前後長は、６０ｍｍ〜１２０ｍｍ程度であることが好ましく、前半部３’と後半部の比は、０．５から２程度、特に１程度とすることが好ましい。座面幅が１２０ｍｍ以上である場合は、広すぎて前後動するのに支障をきたすことがあり、また、６０ｍｍ以下にすると座面からの圧迫が強すぎる場合がある。
【００１７】
また、座面３の前半部３’先端と後半部の高さの差は、５ｍｍ〜３０ｍｍ程度であることが望ましい。高さの差が３０ｍｍ以上であると、実質的に大腿部を支えられない場合があり、また、５ｍｍ以下では、従来の正座椅子と同様に座面前端部の圧迫が強くなってしまい、その差が明確とならない場合がある。
【００１８】
上記座面３は、座椅子や椅子に用いられる一般的なものを使用することができる。例えば、ある程度の強度の骨材で、座面前半部３’が前下がりになり、後半部が平坦となるような形状を形成し、これをウレタンクッションで包み、更にこれを布や合成樹脂のシートで被包することにより製造することができる。また、プラスチック、木材あるいは金属の材質で直接形成することもできる。
【００１９】
また、この座面３を支える脚部２及び底面部４は、かなりの重量がかかるので強度の高い材料、例えば、鉄等の金属、木材、硬質プラスチックなどの材料で製造することが望ましい。更に脚部２の形状としては、上記態様のものでは、板状体を用いているが、これに限らず、金属製丸棒やバイプを曲げたものでも良い。
【００２０】
図３は、本発明の別の形態の正座椅子を示す斜視図である。この正座椅子では、脚部２が座面３の中央部から突出し、バランスをくずさない程度の底部４がこれに結合されている。
【００２１】
この形態の正座椅子では、脚部２を左右の足で挟む形の正座姿勢となるため、下肢部を動かすことのできる範囲が広くなる。
【００２２】
また、図４から図６は、他の形態の正座椅子１を示すものであり、脚部２を折りたたみ可能としたものである。図４の斜視図に示すように、脚部２は金属製丸棒で形成されている。図５および図６は、上記態様の底面図であり、図５は、脚部２を閉じた状態、図６は脚部２を開いた状態を示すものである。
【００２３】
上記態様の正座椅子１は、座面３の裏側に取り付け板５が取り付けられている。そして、この取り付け板５には、これと共に閉じた隙間部を形成するようにガイド部６が設けられている。この隙間部の幅は、支持部材７を形成する丸棒の太さとほぼ同じ幅であり、この隙間部の中に支持部材７の一端を摺動可能に取り付ける。更に、取り付け板５の両端には、脚部を回動可能に取り付ける脚部取り付け部８が設けられており、脚部の一端はここに取り付けられる。一方、支持部材７の他端は、脚部２の中央やや上部に回動可能に取り付けられている。
【００２４】
図４ないし図６に示す態様の正座椅子１は、上記のような構成であるため、通常の使用状態（図６の状態）では、脚部２が上から座面３にかかる力を受け止め、臀部をささえることができ、持ち運ぶ際には、脚部２が図５のように折りたたまれ、コンパクトな形状となって、携帯に便利となる。
【００２５】
更に図７の形態の正座椅子１は、座面３の高さを調節可能とするものである。すなわち、脚部２を外側脚２ａと内側脚２ｂで形成し、それぞれにほぼ同じ大きさのネジ穴９をあけ、一定の位置においてネジ１０でねじ止めすることにより、座面３の高さを希望の位置とすることができ、その結果、ある程度までの体格差に対応できる。
【００２６】
更にまた、図１０に示す図面は、座面３が伸縮可能となっている他の別の態様の正座椅子である。この正座椅子は、座面３が二つの部分に分かれ、一方の座面３ａが鞘状になっており、この鞘の中に他方の座面３ｂに結合した延長片１１が挿入された形状となっている。このような機構により、座面３全体の長さを調整可能であるので、使用者の体格に合わせ、使用することができる。
【００２７】
以上説明した本発明の正座椅子１は、いずれも跪いた後、正座椅子を尻の下に置き、ひざを曲げ座面３に大腿部と臀部の境目付近に乗せることにより、正座姿勢が得られるものである。そして、本発明の正座椅子１は、従来のものと比べ、相対的に座面３が高いので、足首等を自由に動かすことができる。また、座面３が高く、前半部は前下がりになっているため、正座した際の膝の角度がきつくなく、また、重心位置を大腿部から臀部あるいはその逆と変化させることができるので、痺れ等が起きにくい。
【００２８】
【作用】
叙上の本発明の正座椅子１は、足の痺れの要因となる体重の支持位置とその体重を支持する座面３の形状を、若干前下がりとし、しかもこの座面で支持する位置を大腿部と臀部の境目付近とすることにより、足が痺れることもなく長時間でも正座姿勢が続けられるようにしたものである。
【００２９】
【発明の効果】
本発明の正座椅子は、前後方向に狭い座面を大腿部と臀部の境目付近に位置させることにより、膝下部、特に足首の自由度を増し固定を防ぐものであり、踵部を上げれば臀部に接することも可能となる。
【００３０】
さらには、上半身の前後方向への重心移動により、強く座面に接する部位の位置を意図的に変えることが可能となり、よって長時間でも十分な正座姿勢が得られることに役立つ。
【００３１】
従って、本発明の正座椅子は、誰でもが腰にやさしい座姿勢である正座姿勢を長い時間でも継続できるようにしたものであり、従来品より長い時間、正座姿勢を取ることを可能とするものである。
【図面の簡単な説明】
【図１】本発明の一態様である正座椅子の斜視図
【図２】本発明の正座椅子に座る際の座姿勢を示す図面
【図３】本発明の別の態様である正座椅子の斜視図
【図４】折りたたみ可能な本発明の正座椅子を示す斜視図
【図５】図４の正座椅子の底面図（脚部を折りたたんだ状態）
【図６】図４の正座椅子の底面図（脚部を開いた状態）
【図７】脚部が伸縮可能な本発明の正座椅子を示す斜視図
【図８】座面が伸縮可能な本発明の正座椅子を示す斜視図
【符号の説明】
１　…　…　正座椅子
２　…　…　脚部
３　…　…　座面
３’　…　…　座面前半部
４　…　…　底面部
５　…　…　取り付け板
６　…　…　ガイド部
７　…　…　支持部材
８　…　…　脚部取り付け部
９　…　…　ネジ穴
１０　…　…　ネジ
１１　…　…　延長片
以　　上
【図１】
2004065625.tif 000003
【図２】
2004065625.tif 000004
【図３】
2004065625.tif 000005
【図４】
2004065625.tif 000006
【図５】
2004065625.tif 000007
【図６】
2004065625.tif 000008
【図７】
2004065625.tif 000009
【図８】
2004065625.tif 000010